(57)【要約】多数の加入者装置（ＭＰ１）を有するセルラ方式無線通信システム（ＦＮ１）の多数の基地局（ＢＳ１〜ＢＳ１０）の無線通信における伝送中断を協調させるため、位置を決定すべき各加入者装置（ＭＰ１）のいる無線セル（ＦＺ３）における基地局（ＢＳ３）に対応付けられている少なくとも１つの第１コントロールユニット（ＲＮＣ１）と、少なくとも１つの隣接するセル（ＦＺ８）の基地局（ＢＳ８）に対応付けられている少なくとも１つの第２コントロールユニット（ＲＮＣ２）との間で、上記の加入者装置のいる無線セル（ＦＺ３）の基地局（ＢＳ３）および／または少なくとも１つの隣接するセル（ＦＺ８）の基地局（ＢＳ８）の伝送中断の時間位置についての少なくとも１つの情報信号（ＡＲＲ１２，ＲＲＲ２１）が伝送される。これらの情報信号（ＡＲＲ１２，ＲＲＲ２１）に基づいて、上記の加入者装置のいる無線セル（ＦＺ３）の基地局（ＢＳ３）および／または少なくとも１つの隣接する無線セル（ＦＺ８）の基地局（ＢＳ８）の伝送中断を協調させる。
2004517581.tif 000002
【特許請求の範囲】
【請求項１】
基地局（ＢＳ１〜ＢＳ１０）間の無線通信がコントロールユニット（ＲＮＣ１，ＲＮＣ２）を用いてコントロールされる、多数の加入者装置（ＭＰ１）を有するセルラ方式無線通信システム（ＦＮ１）の多数の基地局（ＢＳ１〜ＢＳ１０）の伝送中断を協調させる方法において、
各加入者装置（ＭＰ１）のいる無線セル（ＦＺ３）の基地局（ＢＳ３）に対応付けられている少なくとも１つの第１コントロールユニット（ＲＮＣ１）と、少なくとも１つの隣接する無線セル（ＦＺ８）の基地局（ＢＳ８）に対応付けられている少なくとも１つの第２コントロールユニット（ＲＮＣ２）との間で、前記の加入者装置（ＭＰ１）のいる無線セル（ＦＺ３）の基地局（ＢＳ３）および／または少なくとも１つの隣接する無線セル（ＦＺ８）の基地局（ＢＳ８）の伝送中断の時間位置についての少なくとも１つの情報信号（ＡＲＲ１２，ＲＲＲ２１）を伝送し、
該情報信号（ＡＲＲ１２，ＲＲＲ２１）に基づいて、前記の加入者装置（ＭＰ１）のいる無線セル（ＦＺ３）の基地局（ＢＳ３）の伝送中断および／または少なくとも１つの隣接する無線セル（ＦＺ８）の伝送中断の協調を行うことを特徴する、
多数の基地局の伝送中断を協調させる方法。
【請求項２】
位置決定すべき少なくとも１つの加入者装置（ＭＰ１）の位置を決定する測定信号を伝送する際に、前記の多数の基地局（ＢＳ１〜ＢＳ１０）の伝送中断を行う、
請求項１に記載の方法。
【請求項３】
前記の加入者装置のいる無線セル（ＦＺ３）の基地局（ＢＳ３）の第１コントロールユニット（ＲＮＣ１）から、隣接する基地局のうちの少なくとも１つの基地局（ＢＳ８）の第２コントロールユニット（ＲＮＣ２）にそれぞれ少なくとも１つの問い合わせ信号（ＡＲＲ１２）を送信し、
該問い合わせ信号によって、隣接する各基地局（ＢＳ８）の伝送中断の時間位置を問い合わせる、
請求項１または２に記載の方法。
【請求項４】
前記の加入者装置のいる無線セル（ＦＺ３）の基地局（ＢＳ３）の第１コントロールユニット（ＲＮＣ１）から、隣接する基地局のうちの少なくとも１つ基地局（ＢＳ８）の第２コントロールユニット（ＲＮＣ２）に少なくとも１つの情報信号（ＡＲＲ１２）をそれぞれ送信して、加入者装置のいる無線セル（ＦＺ３）の基地局（ＢＳ３）における伝送中断のあらかじめ選択した時間位置を通知する、
請求項１から３までのいずれか１項に記載の方法。
【請求項５】
前記の第１コントロールユニット（ＲＮＣ１）および／または第２コントロールユニット（ＲＮＣ２）によって、対応する基地局（ＢＳ１〜ＢＳ７；ＢＳ８〜ＢＳ１０）の伝送中断を協調させ、これによって１つまたは複数の隣接する基地局（ＢＳ１，ＢＳ２，ＢＳ８〜ＢＳ１０，ＢＳ５）から、加入者装置のいる無線セル（ＦＺ３）の基地局（ＢＳ３）と実質的に同時に１つまたは複数の位置決定測定信号を送信し、その間に前記の１つまたは複数の隣接する基地局によって、あらかじめ設定可能な時間区間にわたって伝送を中断するようにする、
請求項１から４までのいずれか１項に記載の方法。
【請求項６】
前記の第１コントロールユニット（ＲＮＣ１）および／または第２コントロールユニット（ＲＮＣ２）によって、対応する基地局（ＢＳ１〜ＢＳ７；ＢＳ８〜ＢＳ１０）の伝送中断を協調させ、これによって１つまたは複数の隣接する基地局（ＢＳ１，ＢＳ２，ＢＳ８〜ＢＳ１０，ＢＳ５）から、加入者装置のいる無線セル（ＦＺ３）の基地局（ＢＳ３）に対してあらかじめ設定可能な時間順序で単に個別に１つまたは複数の位置決定測定信号を送信し、その間に基地局（ＢＳ３）によって、あらかじめ設定可能な時間区間毎に伝送を中断するようにする、
請求項１から５までのいずれか１項に記載の方法。
【請求項７】
少なくとも３つの隣接する基地局（ＢＳ１，ＢＳ８，ＢＳ９）から、加入者装置のいる無線セル（ＦＺ３）の基地局（ＢＳ３）に位置決定測定信号を送信する、
請求項１から６までのいずれか１項に記載の方法。
【請求項８】
加入者装置として移動無線装置、例えばセルラ電話を使用する、
請求項１から７までのいずれか１項に記載の方法。
【請求項９】
前記の少なくとも１つの情報信号（ＡＲＲ１２）の伝送を、ＧＳＭ（Ｇｌｏｂａｌ Ｓｙｓｔｅｍ ｆｏｒ Ｍｏｂｉｌｅ Ｃｏｍｍｕｎｉｃａｔｉｏｎ Ｓｙｓｔｅｍ），ＵＭＴＳ（Ｕｎｉｖｅｒｓａｌ Ｍｏｂｉｌｅ Ｃｏｍｍｕｎｉｃａｔｉｏｎ Ｓｙｓｔｅｍ），ＧＰＲＳ（Ｇｅｎｅｒａｌ Ｐａｃｋｅｔ Ｒａｄｉｏ Ｓｅｒｖｉｃｅ）にて、および／またはＥＤＧＥ（Ｅｎｈａｎｃｅｄ ｄａｔａ ｒａｔｅｓ ｆｏｒ ＧＳＭ）無線通信システム、例えば移動無線システムにて行う、
請求項１から８までのいずれか１項に記載の方法。
【請求項１０】
基地局（ＢＳ１〜ＢＳ７）からなる少なくとも１つの第１グループに少なくとも１つの第１無線ネットワークコントロールユニット（ＲＮＣ１）が対応付けられており、また基地局（ＢＳ８〜ＢＳ９）からなる少なくとも１つの第２グループに少なくとも１つの第２無線ネットワークコントロールユニット（ＲＮＣ２）が対応付けられている、多数の基地局（ＢＳ１〜ＢＳ１０）を、対応する無線セル（ＦＺ１〜ＦＺ１０）に有する、例えば請求項１から９までのいずれか１項に記載の、無線通信システム（ＦＮ１）において、
手段（ＲＮＣ１，ＲＮＣ２）が設けられており、
該手段によって、各加入者装置（ＭＰ１）のいる無線セル（ＦＺ３）における基地局（ＢＳ３）に対応する少なくとも１つの第１コントロールユニット（ＲＮＣ１）と、少なくとも１つの隣接する無線セル（ＦＺ８）の基地局（ＢＳ８）に対応する少なくとも１つの第２コントロールユニット（ＲＮＣ２）との間で、加入者装置のいる無線セル（ＦＺ３）の基地局（ＢＳ３）および／または少なくとも１つの隣接する無線セル（ＦＺ８）の基地局（ＢＳ８）の伝送中断の時間位置についての少なくとも１つの情報信号（ＡＲＲ１２）が伝送され、
該情報信号に基づいて、加入者装置のいる無線セル（ＦＺ３）の基地局（ＢＳ３）および／または少なくとも１つの隣接する無線セル（ＦＺ８）の基地局（ＢＳ８）の伝送中断が協調されることを特徴とする、
多数の基地局（ＢＳ１〜ＢＳ１０）を有する無線通信システム（ＦＮ１）。
【発明の詳細な説明】
【０００１】
セルラ方式の移動無線システムでは、基地局により１つずつのセルが構成される。セル内で移動無線局は、このセルを構成する基地局と無線コネクションを有することができる。１つまたは複数の基地局ＢＳ１〜ＢＳ１０は、固定網接続を介して、いわゆる無線ネットワークコントロールユニット、すなわちＲＮＣ（Ｒａｄｉｏ Ｎｅｔｗｏｒｋ Ｃｏｎｔｒｏｌｌｅｒ）に接続される。この固定網接続は、ＵＭＴＳにおいてＩｕｂと称される。無線ネットワークコントロールユニット（ＲＮＣ）は、無線資源のコントロールを行う。１つまたは複数の無線ネットワークコントロールユニットは、別の固定網接続を介してそれぞれ、上位のネットワークユニットＭＳＣ（Ｍｏｂｉｌｅ Ｓｗｉｔｃｈｉｎｇ Ｃｅｎｔｅｒ）およびＳＧＳＮ（Ｓｅｒｖｉｎｇ ＧＰＲＳ Ｓｕｐｐｏｒｔ Ｎｏｄｅ）に接続されている。これらの固定網接続は、ＵＭＴＳ規格ではＩｕと称される。ＭＳＣおよびＳＧＳＮは、移動無線局についてのコントロールを行う。これらは例えば、外部のネットワークから到来する呼を最終的に所望の移動無線局との無線コネクションを有する基地局に転送するのである。
【０００２】
さらに無線ネットワークコントロールユニットは互いに固定網接続部に接続されている。これらの固定網接続部はＵＭＴＳにおいてＩｕｒと称され、これは、例えば、所定の移動無線局に対して１ＲＮＣに記憶されているコントロール情報を別のＲＮＣに転送するのに必要である。これが必要であるのは例えば、移動無線局が、第１ＲＮＣ（ソースＲＮＣ）ＲＮＣ１に接続されている第１基地局によって構成されている１つのセルから、第２ＲＮＣ（ターゲットＲＮＣ）ＲＮＣ２に接続されている第２基地局によって構成されているセルに移動する場合である。
【０００３】
上記のアーキテクチャは図１に示されている。上位のネットワークユニットはここでＭＳＣ／ＳＧＳＮと称されている。これらのユニットは実際には分かれており、これらのユニットＭＳＣおよびＳＧＳＮはそれぞれＲＮＣへの固有のＩｕコネクションを有する。
【０００４】
技術仕様書ＴＳ２５．３０５”Ｓｔａｇｅ ２ ｆｕｎｃｔｉｏｎａｌ ｓｐｅｃｉｆｉｃａｔｉｏｎ ｏｆ ｌｏｃａｔｉｏｎ ｓｅｒｖｉｃｅｓ ｉｎ ＵＴＲＡＮ”には、いわゆるＯＴＤＯＡ法（ＯＴＤＯＡ＝Ｏｂｓｅｒｖｅｄ Ｔｉｍｅ Ｄｉｆｆｅｒｅｎｃｅ Ｏｆ Ａｒｒｉｖａｌ）が記載されている。この手法は、相異なる２つの基地局からの信号が移動無線局に到達するのに要する時間差がこの移動無線局によって測定されることに基づいている。この時間差は、走行時間差または走行時間差分とも称することができる。セルラ方式の移動無線システムでは各基地局は１つのセルを構成する。移動無線局のいるセルを構成する基地局はここでは、基準基地局として利用される。この基準基地局と、隣接する３つの相異なる基地局との間の走行時間差の３つの測定値より、この移動無線局の位置を求めることができる。
【０００５】
この位置決定方式では、移動無線局が、隣接するセルを聴取できない場合、問題が発生することがある。すなわち、この移動無線局は、隣接する基地局の信号を受信できず、したがって走行時間差分も測定できないのである。この問題を解決するため、ないしは移動無線局が、隣接する基地局を「聴取」できるチャンスを増やすため、いわゆるＩＰＤＬ（Ｉｄｌｅ Ｐｅｒｉｏｄｓ ＤｏｗｎＬｉｎｋ）が導入されている。ここでは移動無線局のいるセルの基地局は、一時的にすべての伝送を中断して、これによってこの移動無線局が、隣接する基地局からの信号の走行時間測定を行えるチャンスが増やされるのである。
【０００６】
目下のところは規格に含まれていないが、将来の版において含まれ得るのが、いわゆる”Ｔｉｍｅ ａｌｉｇｎｅｄ ＩＰＤＬ”方式である。この方式では、基準基地局の伝送だけが一時的に中断されるのではなく、付加的に、走行時間差を決定すべき隣接する基地局に至るまでのすべての基地局の伝送が中断されるのである。この場合に、隣接する全基地局の伝送中断はつぎのように設定しなければならない。すなわち、この中断中にはつねに、隣接する基地局の１つだけが送信し、また送信する基地局は、前の伝送中断時とはつねに別の基地局であるように設定しなければならないのである。
【０００７】
隣接する基地局も伝送中断を使用することがある。伝送の中断は、このＩＰＤＬ方式に対して、隣接する２つの基地局の中断が同時に発生しないように調整しなければならない。それはそうでなければ移動無線局は、隣接する基地局を聴取できないからである。Ｔｉｍｅ ａｌｉｇｅｄ ＩＰＤＬ方式に対して、伝送の中断はつぎのように調整しなければならない。すなわち、中断中にはつねに隣接する基地局の１つだけが送信を行うように調整しなければならないのである。隣接する全基地局が同じＲＮＣに接続されている場合、このＲＮＣは個々の基地局の伝送中断を設定して、ＩＰＤＬ方式に対しては隣接する基地局が決して同時に伝送を中断せず、ないしはＴｉｍｅ ａｌｉｇｎｅｄ ＩＰＤＬ方式に対しては隣接する基地局の１つだけが送信するようにすることができる。しかしながらつぎのようなこともあり得るのである。すなわち、移動無線局ＭＰ１が、第１ＲＮＣ  ＲＮＣ１に接続されている第１基地局ＢＳ３によって構成されているセルＦＺ３にあり（図１を参照されたい）、その隣接セルＦＺ８が、第２ＲＮＣ  ＲＮＣ２に接続されている第２基地局ＢＳ８によって構成されていることもあり得るのである。
【０００８】
本発明により、つぎのように基地局を設定することができる。すなわち、隣接するセルを構成する基地局は、たとえこれらの基地局が別個のＲＮＣに接続されている場合でも、ＩＰＤＬ方式を使用している場合には決して同時に伝送を中断せず、ないしはＴｉｍｅ ａｌｉｇｅｎｄ ＩＰＤＬ方式を使用している場合には隣接する基地局の１つだけが送信を行うように基地局を設定できるのである。以下では、ＩＰＤＬ方式に対する設定だけを説明する。しかしながら説明する方法は、Ｔｉｍｅ ａｌｉｇｎｅｄ ＩＰＤＬ方式に対しても適用可能である。
【０００９】
上記の設定は、本発明により、２つの方法で行うことができる。
【００１０】
第１の方法では、ＭＳＣ／ＳＧＳＮネットワークユニット間でネゴシエーションを行う。これは、１つのＭＳＣ／ＳＧＳＮに複数のＲＮＣを接続でき、したがってこのＭＳＣ／ＳＧＳＭに接続されたすべてのＲＮＣの全基地局を相応に設定できるため有利である。これによって、ＭＳＣ／ＳＧＳＮネットワークユニットは、隣接する基地局の伝送中断についての情報だけを交換すればよく、ここでこれらの基地局も相異なるＲＮＣを介して別項のＭＳＣ／ＳＧＳＮに接続されている。これを可能にするため、ＭＳＣ／ＳＧＳＮにおいて既知でなければならないのは、どのセルが隣接しているかと、どのセルが相異なるＲＮＣを介して別個のＭＳＣ／ＳＧＳＮに接続されている基地局から構成されているかとである。さらにＭＳＣ／ＳＧＳＮには、別のＭＳＣ／ＳＧＳＮに接続されているセルに接するセルの伝送中断の設定が通知される。このためにＭＳＣ／ＳＧＳＮは、これらの「境界セル」の設定を、これらのセルが対応付けられているＲＮＣから入手する。
【００１１】
この方法のＲＮＣには隣接するセルがどの隣接するＲＮＣに所属するのかがわからないため、伝送中断を設定すべきセルの所属するＲＮＣは、隣接セルがこのＲＮＣに所属しない場合はつねに上位のネットワークユニットＭＳＣ／ＳＧＳＮに問い合わせる。この場合、ＭＳＣ／ＳＧＳＮは、これらのセルがすべてそれ自体に接続されているか否かをチェックして、接続されていない場合には相応するＭＳＣ／ＳＧＳＮに問い合わせる。この方法は、ＵＭＴＳにとって、取るに足らないというわけではないため、１つの実施例だけしか示されていない。ここでこの実施例が説明しているのは、隣接するセルが相異なる２つのＲＮＣを介して、相異なる２つの上位のネットワークユニットＭＳＣ／ＳＧＳＮに接続されている場合である。この方法が有利であるのは、第１ＲＮＣにおいて、この第１ＲＮＣに接続されていない隣接するセルが別のどのＲＮＣに接続されているか分からず、どのＲＮＣが隣接するセルに所属するかのについての情報が、上位のネットワークユニット、例えばＭＳＣ／ＳＧＳＮだけに分かっている場合である。
【００１２】
第２の方法では、ＲＮＣ間でネゴシエーションが行われる。これは、複雑さが比較的小さな領域に分割されるため殊に有利である。ここでこれらのＲＮＣは、その間で隣接するセルの伝送中断についての情報だけを交換すればよい。これが殊に有利であるのは、ＵＭＴＳのケースのように、どのセルが隣接しているかと、これらのセルのどれが別のＲＮＣに所属しているかとをＲＮＣが知っている場合である。また殊に極めて有利であるのは、伝送中断の設定をＭＳＣに送信しないでよいことである。それはこれらの設定はＲＮＣにあるからである。
【００１３】
殊に有利であるのは、移動無線局が別個のＲＮＣに接続されている基地局の走行時間差を決定しなければならない場合だけ、情報を交換すればよいことである。したがって、１セルにおける伝送中断をいつでも停止および開始することも可能である。
【００１４】
第１セルにおいて伝送中断を開始する前、この第１セルに対応する第１ＲＮＣは、第２ＲＮＣに対応する第２セルに第１セルが隣接する場合、第２ＲＮＣからこの第２セルの伝送中断の設定を入手する。これに基づいて第１ＲＮＣは、第１セルを設定して、第１セルにおける伝送中断が、第２セルの伝送中断と重ならないようにする。
【００１５】
第１実施例
第１実施例ではつぎを前提とする。すなわち、基地局ＢＳ１〜ＢＳ１０が、セルＦＺ１〜ＦＺ１０を構成し、基地局ＢＳ１〜ＢＳ７が、無線ネットワークコントロールユニットＲＮＣ１に、また基地局ＢＳ８，ＢＳ９およびＢＳ１０が無線ネットワークコントロールユニットＲＮＣ２に接続されているとする（図２を参照されたい）。さらにネゴシエーションをＲＮＣによって行う。
【００１６】
さらに移動局ＭＰ１がセルＦＺ３にあるとする。決定したいのは移動局ＭＰ１の位置であり、ここで重要でないのは、位置決定のための問い合わせが移動局側から送出されるか、ネットワーク側から送出されるかである。さらに位置はＯＴＤＯＡ方式で決定することとする。この際にこの移動無線局は、隣接する基地局の信号と、この移動無線局がいる基地局、すなわちこの場合に基地局ＢＳ３の信号とのの走行時間差を決定する。さらに基地局ＢＳ３は測定の時点に対して伝送を中断（ＩＰＤＬ＝Ｉｄｌｅ Ｐｅｒｉｏｄｓ Ｄｏｗｎｌｉｎｋ）して、移動無線局ＭＰ１が、隣接する基地局を受信するより良好なチャンスが得られるようにする。ここでは、基地局ＢＳ３に対して目下伝送中断が設定されていなかったとする。さらにＲＮＣ２に接続されている、隣接するセルＦＺ９も同様にこのような伝送中断を適用して、セルＦＺ９の別の移動無線局に、隣接するセルを受信できるようにするとする。さらにＲＮＣ１には、セルＦＺ３が、セルＦＺ１，ＦＺ２，ＦＺ３，ＦＺ８，ＦＺ９およびＦＺ１０に接しており、セルＦＺ８，ＦＺ９およびＦＺ１０がＲＮＣ２に接続されていることが既知であるとする。
【００１７】
この実施例は、さらに区分することができる：
ａ）  ＲＮＣ１とＲＮＣ２との間にコネクション（Ｉｕｒ）が存在する、
ｂ）  ＲＮＣ１とＲＮＣ２との間にコネクション（Ｉｕｒ）が存在しない。
【００１８】
ａ）  ＲＮＣ１とＲＮＣ２との間にＩｕｒコネクションが存在する（図１も参照されたい）：
ＲＮＣ１とＲＮＣ２との間にＩｕｒコネクションが存在する場合、ＲＮＣ１は、問い合わせを有するメッセージＡＲＲ１２をＲＮＣ２に送信し、ここでこの問い合わせは、セルＦＺ８，ＦＺ９およびＦＺ１０に対する伝送中断の設定をＲＮＣ１に送信せよという問い合わせである。セルＦＺ８およびＦＺ１０に対して仮定したのは、これらに対して伝送中断が設定されていないことである。しかしながらセルＦＺ９に対してはすでに伝送中断が設定されている。したがってＲＮＣ２は、本発明により、応答ＲＲＲ２１をＲＮＣ１に送信し、この応答にはセルＦＺ９に対する伝送中断の設定が含まれており、またこの応答により、ＲＮＣ１にセルＦＺ８およびＦＺ１０に対して伝送中断が設定されていないことが通知される。ＲＮＣ１はこれに基づいてセルＦＺ３に対して伝送中断を設定して、セルＦＺ３およびＦＺ９における伝送中断が決して同時に発生しないようにするのである。
【００１９】
この過程の流れは図３に示されている。ここで垂直線はネットワークユニットを示している。ネットワークユニットの種類は、これらの垂直線の上端にあるボックスに示されている。垂直線間の矢印は、ＲＮＣ１とＲＮＣ２との間で交換されるメッセージを表す。
【００２０】
ｂ）  ＲＮＣ１とＲＮＣ２との間にＩｕｒコネクションが存在しない（図１および４を参照されたい）：
ＲＮＣ１とＲＮＣ２との間にＩｕｒコネクションが存在しない場合、ＲＮＣ１は、Ｉｕコネクションを介して上位の対応するネットワークユニット、すなわちＭＳＣまたはＳＧＳＮのいずれかにメッセージＡＲＲ１２を送信する。このメッセージＡＲＲ１２によって、ＲＮＣ１は上位のネットワークユニットにセルＦＺ８〜ＦＺ１０の伝送中断設定について問い合わせる。これに基づいてこの上位のネットワークユニットは、この問い合わせを別のＩｕコネクションを介してＲＮＣ２に転送する。これは応答ＡＲＲ２１を上位のネットワークユニットに返送し、ここでこの応答は、セルＦＺ９の設定と、セルＦＺ８およびＦＺ１０に対して伝送中断が設定されていないという情報とを有する。この上位のネットワークユニットはこれらをＲＮＣ１に転送する。これによってＲＮＣ１にはセルＦＺ８〜ＦＺ９の伝送中断の構成が分かり、セルＦＺ３の伝送中断を設定して、セルＦＺ３およびＦＺ９の伝送中断が決して同時に発生しないようにする。
【００２１】
この過程の流れは図４に示されている。
【００２２】
さらに、ＲＮＣ１およびＲＮＣ２が２つのＭＳＣ／ＳＧＳＮに別個に接続されていることも考えられ得る。図５にはこのようなアーキテクチャが示されている。ここでＲＮＣ１はＭＳＣ１／ＳＧＳＮ１に、またＲＮＣ２はＭＳＣ２／ＳＧＳＮ２に接続されている。つぎにセルＦＺ８〜ＦＺ１０の構成についてのＲＮＣ１の問い合わせがＭＳＣ１／ＳＧＳＮ１からＭＳＣ２／ＳＧＳＮ２に転送され、これは引き続きこの問い合わせをＲＮＣ２に転送する。ＲＮＣ  ＲＮＣ２は、セルＦＺ８〜ＦＺ１０のセルの設定−セッティングを含む応答をＭＳＣ２／ＳＧＳＮ２に返送し、これはこの応答をＭＳＣ１／ＳＧＳＮ１に転送し、引き続きこの応答がＲＮＣ１に導かれる。図６にはこの過程の流れが示されている。
【００２３】
第２実施例
第２実施例ではつぎのことを前提とする。すなわち、基地局ＢＳ１〜ＢＳ１０をセル１〜１０を構成し、基地局ＢＳ１〜ＢＳ７が無線ネットワークコントロールユニットＲＮＣ１に、また基地局ＢＳ８，ＢＳ９およびＢＳ１０が無線ネットワークコントロールユニットＲＮＣ２に接続されているとする（図２を参照されたい）。さらにＲＮＣ１は上位のネットワークユニットＭＳＣ１／ＳＧＳＮ１に接続されており、ＲＮＣ２は上位のネットワークユニットＭＳＣ２／ＳＧＳＮ２に接続されているとする。構造は図５に示されている。ここでネゴシエーションは、上位のネットワークユニットＭＳＣ／ＳＧＳＮ間で行われる。ここでも仮定されるのは、移動無線局ＭＰ１がセルＦＺ３にあり、その位置をＯＴＤＯＡ方式で決定することである。さらに基地局ＢＳ３の伝送中断によって移動無線局が、隣接するセルを受信するチャンスを増やしたい。さらにセルＦＺ９に対してすでに伝送中断が設定されているとする。さらにＭＳＣ／ＳＧＳＮには、各ＭＳＣ／ＳＧＳＮに対応付けられているどのセルと、別のＭＳＣ／ＳＧＳＮに対応付けられているどのセルとが隣接しているかが分かっているとする。
【００２４】
ＲＮＣ１は、セルＦＺ３において伝送中断を挿入したいことをＩｕコネクションを介してＭＳＣ１／ＳＧＳＮ１に通知する。ＭＳＣ１／ＳＧＳＮ１には、セルＦＺ３と、ＭＳＣ２／ＳＧＳＮ２に対応付けられているセルとが隣接していることが分かっている。これに基づいてＭＳＣ１／ＳＧＳＮ１はメッセージをＭＳＣ２／ＳＧＳＮ２に送信し、ここでこのメッセージでは、セルＦＺ８〜ＦＺ１０の伝送中断の構成について問い合わせが行われる。
【００２５】
ＭＳＣ２／ＳＧＳＮ２にセルＦＺ８〜ＦＺ１０の構成が既知である場合、ＭＳＣ２／ＳＧＳＮ２はＭＳＣ１／ＳＧＳＮ１に応答を返送し、ここでこの応答には、セルＦＺ９の伝送中断の構成が含まれており、ここから、セルＦＺ８およびＦＺ１０には伝送中断が設定されていないことが識別される。ＭＳＣ２／ＳＧＳＮ２にセルＦＺ８〜ＦＺ１０の設定が既知であるこの方法の流れは図７に示されている。
【００２６】
ＭＳＣ２／ＳＧＳＮ２にセルＦＺ８〜ＦＺ１０の設定が未知の場合、ＭＳＣ２／ＳＧＳＮ２はＲＮＣ２に、セルＦＺ８〜ＦＺ１０のセルの伝送中断の設定を返送せよとの問い合わせを送信する。これに基づいてＲＮＣ２はこの設定をＭＳＣ２／ＳＧＳＮ２に返送する。ＭＳＣ２／ＳＧＳＮ２側はメッセージをＭＳＣ１／ＳＧＳＮ１に送信し、このメッセージから、これらのセルに対して伝送中断が設定されておらず、またこのメッセージにセルＦＺ９の設定が含まれていることが明らかになる。この方法の流れは図８に示されている。
【００２７】
ＭＳＣ１／ＳＧＳＮ１は引き続きＲＮＣ１に、伝送中断の設定がセルＦＺ９に対してどのようになっているかを通知し、このＲＮＣがセルＦＺ３に対して伝送中断を選択することができ、伝送中断が決して同時に行われないようにするのである。
【図面の簡単な説明】
【図１】
移動無線システムの無線セルにおける基地局と、この基地局をコントロールする無線ネットワークコントロールユニットと、本発明の方法を実施する上位のネットワークユニットとを有するアーキテクチャを示す図である。
【図２】
移動無線システムの無線セルにおける基地局と、この基地局をコントロールする無線ネットワークコントロールユニットと、本発明の方法を実施する上位のネットワークユニットとを有する別のアーキテクチャを示す図である。
【図３】
本発明の方法にしたがって伝送中断を設定する例を示す図である。
【図４】
本発明の方法にしたがって伝送中断を設定する別の例を示す図である。
【図５】
移動無線システムの無線セルにおける基地局と、この基地局をコントロールする無線ネットワークコントロールユニットと、本発明の方法を実施する上位のネットワークユニットとを有するさらに別のアーキテクチャを示す図である。
【図６】
本発明の方法にしたがって伝送中断を設定するさらに別の例を示す図である。
【図７】
本発明の方法にしたがって伝送中断を設定するさらに別の例を示す図である。
【図８】
本発明の方法にしたがって伝送中断を設定するさらに別の例を示す図である。
【図３】
2004517581.tif 000003
【図４】
2004517581.tif 000004
【図５】
2004517581.tif 000005
【図６】
2004517581.tif 000006
【図７】
2004517581.tif 000007
【図８】
2004517581.tif 000008
【国際公開パンフレット】
2004517581.tif 000009
2004517581.tif 000010
2004517581.tif 000011
2004517581.tif 000012
2004517581.tif 000013
2004517581.tif 000014
2004517581.tif 000015
2004517581.tif 000016
2004517581.tif 000017
2004517581.tif 000018
2004517581.tif 000019
2004517581.tif 000020
2004517581.tif 000021
2004517581.tif 000022
2004517581.tif 000023
2004517581.tif 000024
2004517581.tif 000025
2004517581.tif 000026
2004517581.tif 000027
2004517581.tif 000028
2004517581.tif 000029
2004517581.tif 000030
2004517581.tif 000031
2004517581.tif 000032
【国際公開パンフレット（コレクトバージョン）】
2004517581.tif 000033
【国際公開パンフレット（コレクトバージョン）】
2004517581.tif 000034
2004517581.tif 000035
2004517581.tif 000036
2004517581.tif 000037
2004517581.tif 000038
2004517581.tif 000039
2004517581.tif 000040
2004517581.tif 000041
2004517581.tif 000042
2004517581.tif 000043
2004517581.tif 000044
2004517581.tif 000045
2004517581.tif 000046
2004517581.tif 000047
2004517581.tif 000048
2004517581.tif 000049
2004517581.tif 000050
2004517581.tif 000051
2004517581.tif 000052
2004517581.tif 000053
2004517581.tif 000054
2004517581.tif 000055
2004517581.tif 000056
2004517581.tif 000057
【手続補正書】
【提出日】平成15年3月10日(2003.3.10)
【手続補正１】
【補正対象書類名】明細書
【補正対象項目名】全文
【補正方法】変更
【補正の内容】
【書類名】明細書
【発明の名称】伝送中断を割り当てる方法
【特許請求の範囲】
【請求項１】セルラ方式無線通信システム（ＦＮ１）における多数の基地局（ＢＳ１〜ＢＳ１０）の位置決定測定信号の伝送中断を協調させる方法であって、
前記の多数の基地局（ＢＳ１〜ＢＳ１０）の伝送中断は、位置決定すべき少なくとも１つの移動無線局（ＭＰ１）の位置を決定する位置決定測定信号を当該基地局が伝送する際に行われ、
前記基地局（ＢＳ１〜ＢＳ１０）の無線セル（ＦＺ１〜ＦＺ１０）における無線通信が無線ネットワークコントロールユニット（ＲＮＣ１，ＲＮＣ２）を用いてコントロールされ、
位置決定すべき各加入者装置（ＭＰ１）のいる無線セル（ＦＺ３）の基地局（ＢＳ３）に対応付けられている少なくとも１つの第１コントロールユニット（ＲＮＣ１）と、少なくとも１つの隣接する無線セル（ＦＺ８）の基地局（ＢＳ８）に対応付けられている少なくとも１つの第２コントロールユニット（ＲＮＣ２）との間で、前記の加入者装置（ＭＰ１）のいる無線セル（ＦＺ３）の基地局（ＢＳ３）および／または少なくとも１つの隣接する無線セル（ＦＺ８）の基地局（ＢＳ８）が位置決定測定信号を伝送中断する時間位置について少なくとも１つの情報信号（ＡＲＲ１２，ＲＲＲ２１）を伝送し、
該情報信号（ＡＲＲ１２，ＲＲＲ２１）に基づいて、前記の加入者装置（ＭＰ１）のいる無線セル（ＦＺ３）の基地局（ＢＳ３）および／または少なくとも１つの隣接する無線セル（ＦＺ８）が位置決定測定信号を伝送中断する時間位置を協調させる形式の、多数の基地局（ＢＳ１〜ＢＳ１０）の伝送中断を協調させる方法において、
前記の加入者装置（ＭＰ１）のいる無線セル（ＦＺ３）の基地局（ＢＳ３）の第１無線ネットワークコントロールユニット（ＲＮＣ１）から、隣接する無線セルのうちの少なくとも１つ（ＦＺ８）の各第２無線ネットワークコントロールユニット（ＲＮＣ２）に、少なくとも１つの問い合わせ信号（ＡＲＲ１２）を情報信号として送信し、
該情報信号によって、前記の各隣接する基地局（ＢＳ８）が位置決定測定信号を伝送中断する時間位置を問い合わせるか、または
前記の加入者装置（ＭＰ１）のいる無線セル（ＦＺ３）の基地局（ＢＳ３）の第１無線ネットワークコントロールユニット（ＲＮＣ１）から、隣接する無線セルのうちの少なくとも１つ（ＦＺ８）の各第２無線ネットワークコントロールユニット（ＲＮＣ２）に、少なくとも１つの情報信号（ＡＲＲ１２）を送信して、前記の加入者装置（ＭＰ１）のいる無線セル（ＦＺ３）の基地局（ＢＳ３）が位置決定測定信号を伝送中断する、あらかじめ選択した時間位置を通知することを特徴とする、
多数の基地局の位置決定測定信号の伝送中断を協調させる方法。
【請求項２】前記の第１無線ネットワークコントロールユニット（ＲＮＣ１）および／または第２ネットワークコントロールユニット（ＲＮＣ２）によって、対応する基地局（ＢＳ１〜ＢＳ７；ＢＳ８〜ＢＳ１０）の伝送中断を協調させ、これによって１つまたは複数の隣接する基地局（ＢＳ１，ＢＳ２，ＢＳ８〜ＢＳ１０，ＢＳ５）から、前記の加入者装置のいる無線セル（ＦＺ３）の基地局（ＢＳ３）と実質的に同時に１つまたは複数の位置決定測定信号が送信され、その間に当該基地局（ＢＳ３）により、あらかじめ設定可能な時間区間にわたって位置決定測定信号が中断されるようにする、
請求項１に記載の方法。
【請求項３】前記の第１無線ネットワークコントロールユニット（ＲＮＣ１）および／または第２ネットワークコントロールユニット（ＲＮＣ２）によって、対応する基地局（ＢＳ１〜ＢＳ１０）の伝送中断を協調させ、これによって１つまたは複数の隣接する基地局（ＢＳ１，ＢＳ２，ＢＳ８〜ＢＳ１０，ＢＳ４）から、前記の加入者装置のいる無線セル（ＦＺ３）の基地局（ＢＳ３）に対してあらかじめ設定した時間順序で単に個別に１つまたは複数の位置決定測定信号が送信され、その間に当該基地局（ＢＳ３）により、あらかじめ設定可能な時間区間毎に位置決定測定信号が中断されるようにする、
請求項１に記載の方法。
【請求項４】少なくとも３つの隣接する基地局（ＢＳ１，ＢＳ８，ＢＳ９）から、加入者装置のいる無線セル（ＦＺ３）の基地局（ＢＳ３）に位置決定測定信号を送信する、
請求項１から３までのいずれか１項に記載の方法。
【請求項５】前記の少なくとも１つの情報信号（ＡＲＲ１２）の伝送を、ＧＳＭ（Ｇｌｏｂａｌ Ｓｙｓｔｅｍ ｆｏｒ Ｍｏｂｉｌｅ Ｃｏｍｍｕｎｉｃａｔｉｏｎ Ｓｙｓｔｅｍ），ＵＭＴＳ（Ｕｎｉｖｅｒｓａｌ Ｍｏｂｉｌｅ Ｃｏｍｍｕｎｉｃａｔｉｏｎ Ｓｙｓｔｅｍ），ＧＰＲＳ（Ｇｅｎｅｒａｌ Ｐａｃｋｅｔ Ｒａｄｉｏ Ｓｅｒｖｉｃｅ）にて、および／またはＥＤＧＥ（Ｅｎｈａｎｃｅｄ ｄａｔａ ｒａｔｅｓ ｆｏｒ ＧＳＭ）無線通信システム、例えば移動無線システムにて行う、
請求項１から４までのいずれか１項に記載の方法。
【請求項６】無線通信システム（ＦＮ１）において、
多数の基地局（ＢＳ１〜ＢＳ１０）を、対応する無線セル（ＦＺ１〜ＦＺ１０）に有し、さらに手段（ＲＮＣ１，ＲＮＣ２）を有し、
基地局（ＢＳ１〜ＢＳ７）からなる少なくとも１つの第１グループに、少なくとも１つの第１無線ネットワークコントロールユニット（ＲＮＣ１）が対応付けられており、
また基地局（ＢＳ８〜ＢＳ１０）からなる少なくとも１つの第２グループに、少なくとも１つの第２無線ネットワークコントロールユニット（ＲＮＣ２）が対応付けられており、
前記手段（ＲＮＣ１，ＲＮＣ２）により、請求項１から５までのいずれか１項に記載の方法を実施することを特徴とする
無線通信システム（ＦＮ１）。
【発明の詳細な説明】
【０００１】
本発明の課題は、位置を決定すべき移動無線装置ないしは移動無線局が、隣接する基地局の位置決定測定信号を「聴取」でき、また走行時間測定を行えるチャンスを増やすことである。
【０００２】
この課題は、以下の本発明の方法によって解決される。すなわち、セルラ方式無線通信システムにおける多数の基地局の位置決定測定信号の伝送中断を協調させる方法であって、上記の多数の基地局の伝送中断は、位置決定すべき少なくとも１つの移動無線局の位置を決定する位置決定測定信号をこれらの基地局が伝送する際に行なわれ、基地局の無線セルにおける無線通信が、無線ネットワークコントロールユニットを用いてコントロールされ、位置決定すべき各移動無線局のいる無線セルの基地局に対応付けられている少なくとも１つの第１無線ネットワークコントロールユニットと、少なくとも１つの隣接する無線セルの基地局に対応付けられている少なくとも１つの第２無線ネットワークコントロールユニットとの間で、上記の加入者装置のいる無線セルの基地局および／または少なくとも１つの隣接する無線セルの基地局が位置決定測定信号を伝送中断する時間位置について少なくとも１つの情報信号を伝送し、この情報信号に基づいて、上記の加入者装置のいる無線セルの基地局および／または少なくとも１つの隣接するセルの基地局が位置決定測定信号を伝送中断する時間位置を協調させる方法において、上記の加入者装置のいる無線セルの基地局の第１無線ネットワークコントロールユニットから、隣接する基地局のうちの少なくとも１つの各第２無線ネットワークコントロールユニットに、少なくとも１つの問い合わせ信号を情報信号として送信し、この情報信号によって、隣接する各基地局が位置決定測定信号を伝送中断する時間位置を問い合わせるか、または上記の加入者装置のいる無線セルの基地局の第１無線ネットワークコントロールユニットから、隣接する基地局のうちの少なくとも１つの各第２無線ネットワークコントロールユニットに少なくとも１つの情報信号を送信して、上記の加入者装置のいる無線セルの基地局が位置決定測定信号を伝送中断する、あらかじめ選択した時間位置を通知することによって解決されるのである。
【０００３】
これによって基地局が位置測定信号を中断する時間位置の設定ないしはセッティングが可能であり、ここでこれは、たとえ基地局が別個の無線ネットワークコントロールユニットないしはＲＮＣに接続されている場合でも可能である。
【０００４】
ここで、
図１，２はそれぞれ、移動無線システムの無線セルにおける基地局と、この基地局をコントロールする無線ネットワークコントロールユニットと、本発明の方法を実施する上位のネットワークユニットとを有するアーキテクチャを示しており、
図３〜８は、本発明の方法にしたがって伝送中断を設定する様々な例を示している。
【０００５】
セルラ方式の移動無線システムでは、基地局により１つずつのセルが構成される。セル内で移動無線局は、このセルを構成する基地局と無線コネクションを有することができる。１つまたは複数の基地局ＢＳ１〜ＢＳ１０は、固定網接続を介して、いわゆる無線ネットワークコントロールユニット、すなわちＲＮＣ（Ｒａｄｉｏ Ｎｅｔｗｏｒｋ Ｃｏｎｔｒｏｌｌｅｒ）に接続される。この固定網接続は、ＵＭＴＳにおいてＩｕｂと称される。無線ネットワークコントロールユニット（ＲＮＣ）は、無線資源のコントロールを行う。１つまたは複数の無線ネットワークコントロールユニットは、別の固定網接続を介してそれぞれ、上位のネットワークユニットＭＳＣ（Ｍｏｂｉｌｅ Ｓｗｉｔｃｈｉｎｇ Ｃｅｎｔｅｒ）およびＳＧＳＮ（Ｓｅｒｖｉｎｇ ＧＰＲＳ Ｓｕｐｐｏｒｔ Ｎｏｄｅ）に接続されている。これらの固定網接続は、ＵＭＴＳ規格ではＩｕと称される。ＭＳＣおよびＳＧＳＮは、移動無線局についてのコントロールを行う。これらは例えば、外部のネットワークから到来する呼を最終的に所望の移動無線局との無線コネクションを有する基地局に転送するのである。
【０００６】
さらに無線ネットワークコントロールユニットは互いに固定網接続部に接続されている。これらの固定網接続部はＵＭＴＳにおいてＩｕｒと称され、これは、例えば、所定の移動無線局に対して１ＲＮＣに記憶されているコントロール情報を別のＲＮＣに転送するのに必要である。これが必要であるのは例えば、移動無線局が、第１ＲＮＣ（ソースＲＮＣ）ＲＮＣ１に接続されている第１基地局によって構成されている１つのセルから、第２ＲＮＣ（ターゲットＲＮＣ）ＲＮＣ２に接続されている第２基地局によって構成されているセルに移動する場合である。
【０００７】
上記のアーキテクチャは図１に示されている。上位のネットワークユニットはここでＭＳＣ／ＳＧＳＮと称されている。これらのユニットは実際には分かれており、これらのユニットＭＳＣおよびＳＧＳＮはそれぞれＲＮＣへの固有のＩｕコネクションを有する。
【０００８】
技術仕様書ＴＳ２５．３０５”Ｓｔａｇｅ ２ ｆｕｎｃｔｉｏｎａｌ ｓｐｅｃｉｆｉｃａｔｉｏｎ ｏｆ ｌｏｃａｔｉｏｎ ｓｅｒｖｉｃｅｓ ｉｎ ＵＴＲＡＮ”には、いわゆるＯＴＤＯＡ法（ＯＴＤＯＡ＝Ｏｂｓｅｒｖｅｄ Ｔｉｍｅ Ｄｉｆｆｅｒｅｎｃｅ Ｏｆ Ａｒｒｉｖａｌ）が記載されている。この手法は、相異なる２つの基地局からの信号が移動無線局に到達するのに要する時間差がこの移動無線局によって測定されることに基づいている。この時間差は、走行時間差または走行時間差分とも称することができる。セルラ方式の移動無線システムでは各基地局は１つのセルを構成する。移動無線局のいるセルを構成する基地局はここでは、基準基地局として利用される。この基準基地局と、隣接する３つの相異なる基地局との間の走行時間差の３つの測定値より、この移動無線局の位置を求めることができる。
【０００９】
この位置決定方式では、移動無線局が、隣接するセルを聴取できない場合、問題が発生することがある。すなわち、この移動無線局は、隣接する基地局の信号を受信できず、したがって走行時間差分も測定できないのである。この問題を解決するため、ないしは移動無線局が、隣接する基地局を「聴取」できるチャンスを増やすため、いわゆるＩＰＤＬ（Ｉｄｌｅ Ｐｅｒｉｏｄｓ ＤｏｗｎＬｉｎｋ）が導入されている。ここでは移動無線局のいるセルの基地局は、一時的にすべての伝送を中断して、これによってこの移動無線局が、隣接する基地局からの信号の走行時間測定を行えるチャンスが増やされるのである。
【００１０】
目下のところは規格に含まれていないが、将来の版において含まれ得るのが、いわゆる”Ｔｉｍｅ ａｌｉｇｎｅｄ ＩＰＤＬ”方式である。この方式は、例えば、刊行物”Ｔｉｍｅ Ａｌｉｇｎｅｄ ＦＰ−ＰＬ ｐｏｓｉｔｉｏｎｉｎｇ ｔｅｃｈｎｉｑｕｅ”， ＴＳＧＲ１＃７（９９）６７９， ＴＳＧ−ＲＡＮ Ｗｏｒｋｉｎｇ Ｇｒｏｕｐ １， ＨＵ Ｈｏｃ １７， Ｍｅｅｔｉｎｇ ７， Ｈａｎｎｏｖｅｒ， Ｇｅｒｍａｎｙ， Ａｕｇｕｓｔ ３０ｔｈ Ｓｅｐｔｅｍｂｅｒ ３ｒｄ １９９９に詳しく記載されている。この方式では、基準基地局の伝送だけが一時的に中断されるのではなく、付加的に、走行時間差を決定すべき隣接する基地局の伝送に至るまでのすべての基地局の伝送が中断されるのである。この場合に、隣接する全基地局の伝送中断はつぎのように設定しなければならない。すなわち、この中断中にはつねに、隣接する基地局の１つだけが送信し、また送信する基地局は、前の伝送中断時とはつねに別の基地局であるように設定しなければならないのである。
【００１１】
隣接する基地局も伝送中断を使用することがある。伝送の中断は、このＩＰＤＬ方式に対して、隣接する２つの基地局の中断が同時に発生しないように調整しなければならない。それはそうでなければ移動無線局は、隣接する基地局を聴取できないからである。Ｔｉｍｅ ａｌｉｇｅｄ ＩＰＤＬ方式に対して、伝送の中断はつぎのように調整しなければならない。すなわち、中断中にはつねに隣接する基地局の１つだけが送信を行うように調整しなければならないのである。隣接する全基地局が同じＲＮＣに接続されている場合、このＲＮＣは個々の基地局の伝送中断を設定して、ＩＰＤＬ方式に対しては隣接する基地局が決して同時に伝送を中断せず、ないしはＴｉｍｅ ａｌｉｇｎｅｄ ＩＰＤＬ方式に対しては隣接する基地局の１つだけが送信するようにすることができる。しかしながらつぎのようなこともあり得るのである。すなわち、移動無線局ＭＰ１が、第１ＲＮＣ  ＲＮＣ１に接続されている第１基地局ＢＳ３によって構成されているセルＦＺ３にあり（図１を参照されたい）、その隣接セルＦＺ８が、第２ＲＮＣ  ＲＮＣ２に接続されている第２基地局ＢＳ８によって構成されていることもあり得るのである。
【００１２】
本発明により、つぎのように基地局を設定することができる。すなわち、隣接するセルを構成する基地局は、たとえこれらの基地局が別個のＲＮＣに接続されている場合でも、ＩＰＤＬ方式を使用している場合には決して同時に伝送を中断せず、ないしはＴｉｍｅ ａｌｉｇｅｎｄ ＩＰＤＬ方式を使用している場合には隣接する基地局の１つだけが送信を行うように基地局を設定できるのである。以下では、ＩＰＤＬ方式に対する設定だけを説明する。しかしながら説明する方法は、Ｔｉｍｅ ａｌｉｇｎｅｄ ＩＰＤＬ方式に対しても適用可能である。
【００１３】
上記の設定は、本発明により、２つの方法で行うことができる。
【００１４】
第１の方法では、ＭＳＣ／ＳＧＳＮネットワークユニット間でネゴシエーションを行う。これは、１つのＭＳＣ／ＳＧＳＮに複数のＲＮＣを接続でき、したがってこのＭＳＣ／ＳＧＳＭに接続されたすべてのＲＮＣの全基地局を相応に設定できるため有利である。これによって、ＭＳＣ／ＳＧＳＮネットワークユニットは、隣接する基地局の伝送中断についての情報だけを交換すればよく、ここでこれらの基地局も相異なるＲＮＣを介して別項のＭＳＣ／ＳＧＳＮに接続されている。これを可能にするため、ＭＳＣ／ＳＧＳＮにおいて既知でなければならないのは、どのセルが隣接しているかと、どのセルが相異なるＲＮＣを介して別個のＭＳＣ／ＳＧＳＮに接続されている基地局から構成されているかとである。さらにＭＳＣ／ＳＧＳＮには、別のＭＳＣ／ＳＧＳＮに接続されているセルに接するセルの伝送中断の設定が通知される。このためにＭＳＣ／ＳＧＳＮは、これらの「境界セル」の設定を、これらのセルが対応付けられているＲＮＣから入手する。
【００１５】
この方法のＲＮＣには隣接するセルがどの隣接するＲＮＣに所属するのかがわからないため、伝送中断を設定すべきセルの所属するＲＮＣは、隣接セルがこのＲＮＣに所属しない場合はつねに上位のネットワークユニットＭＳＣ／ＳＧＳＮに問い合わせる。この場合、ＭＳＣ／ＳＧＳＮは、これらのセルがすべてそれ自体に接続されているか否かをチェックして、接続されていない場合には相応するＭＳＣ／ＳＧＳＮに問い合わせる。この方法は、ＵＭＴＳにとって、取るに足らないというわけではないため、１つの実施例だけしか示されていない。ここでこの実施例が説明しているのは、隣接するセルが相異なる２つのＲＮＣを介して、相異なる２つの上位のネットワークユニットＭＳＣ／ＳＧＳＮに接続されている場合である。
【００１６】
この方法が有利であるのは、第１ＲＮＣにおいて、この第１ＲＮＣに接続されていない隣接するセルが別のどのＲＮＣに接続されているか分からず、どのＲＮＣが隣接するセルに所属するかのについての情報が、上位のネットワークユニット、例えばＭＳＣ／ＳＧＳＮだけに分かっている場合である。
【００１７】
第２の方法では、ＲＮＣ間でネゴシエーションが行われる。これは、複雑さが比較的小さな領域に分割されるため殊に有利である。ここでこれらのＲＮＣは、その間で隣接するセルの伝送中断についての情報だけを交換すればよい。これが殊に有利であるのは、ＵＭＴＳのケースのように、どのセルが隣接しているかと、これらのセルのどれが別のＲＮＣに所属しているかとをＲＮＣが知っている場合である。また殊に極めて有利であるのは、伝送中断の設定をＭＳＣに送信しないでよいことである。それはこれらの設定はＲＮＣにあるからである。
【００１８】
殊に有利であるのは、移動無線局が別個のＲＮＣに接続されている基地局の走行時間差を決定しなければならない場合だけ、情報を交換すればよいことである。したがって、１セルにおける伝送中断をいつでも停止および開始することも可能である。
【００１９】
第１セルにおいて伝送中断を開始する前、この第１セルに対応する第１ＲＮＣは、第２ＲＮＣに対応する第２セルに第１セルが隣接する場合、第２ＲＮＣからこの第２セルの伝送中断の設定を入手する。これに基づいて第１ＲＮＣは、第１セルを設定して、第１セルにおける伝送中断が、第２セルの伝送中断と重ならないようにする。
【００２０】
第１実施例
第１実施例ではつぎを前提とする。すなわち、基地局ＢＳ１〜ＢＳ１０が、セルＦＺ１〜ＦＺ１０を構成し、基地局ＢＳ１〜ＢＳ７が、無線ネットワークコントロールユニットＲＮＣ１に、また基地局ＢＳ８，ＢＳ９およびＢＳ１０が無線ネットワークコントロールユニット（ＲＮＣ＝ｒａｄｉｏ ｎｅｔｗｏｒｋ ｃｏｎｔｒｏｌｌｅｒ）ＲＮＣ２に接続されているとする（図２を参照されたい）。さらにネゴシエーションをＲＮＣによって行う。
【００２１】
さらに移動局ＭＰ１がセルＦＺ３にあるとする。決定したいのは移動局ＭＰ１の位置であり、ここで重要でないのは、位置決定のための問い合わせが移動局側から送出されるか、ネットワーク側から送出されるかである。さらに位置はＯＴＤＯＡ方式で決定することとする。この際にこの移動無線局は、隣接する基地局の信号と、この移動無線局がいる基地局、すなわちこの場合に基地局ＢＳ３の信号とのの走行時間差を決定する。さらに基地局ＢＳ３は測定の時点に対して伝送を中断（ＩＰＤＬ＝Ｉｄｌｅ Ｐｅｒｉｏｄｓ Ｄｏｗｎｌｉｎｋ）して、移動無線局ＭＰ１が、隣接する基地局を受信するより良好なチャンスが得られるようにする。ここでは、基地局ＢＳ３に対して目下伝送中断が設定されていなかったとする。さらにＲＮＣ  ＲＮＣ２に接続されている、隣接するセルＦＺ９も同様にこのような伝送中断を適用して、セルＦＺ９の別の移動無線局に、隣接するセルを受信できるようにするとする。さらにＲＮＣ  ＲＮＣ１には、セルＦＺ３が、セルＦＺ１，ＦＺ２，ＦＺ３，ＦＺ８，ＦＺ９およびＦＺ１０に接しており、セルＦＺ８，ＦＺ９およびＦＺ１０がＲＮＣ  ＲＮＣ２に接続されていることが既知であるとする。
【００２２】
この実施例は、さらに区分することができる：
ａ）  ＲＮＣ  ＲＮＣ１とＲＮＣ  ＲＮＣ２との間にコネクション（Ｉｕｒ）が存在する、
ｂ）  ＲＮＣ  ＲＮＣ１とＲＮＣ  ＲＮＣ２との間にコネクション（Ｉｕｒ）が存在しない。
【００２３】
ａ）  ＲＮＣ  ＲＮＣ１とＲＮＣ  ＲＮＣ２との間にＩｕｒコネクションが存在する（図１も参照されたい）：
ＲＮＣ  ＲＮＣ１とＲＮＣ  ＲＮＣ２との間にＩｕｒコネクションが存在する場合、ＲＮＣ  ＲＮＣ１は、問い合わせを有するメッセージＡＲＲ１２をＲＮＣ  ＲＮＣ２に送信し、ここでこの問い合わせは、セルＦＺ８，ＦＺ９およびＦＺ１０に対する伝送中断の設定をＲＮＣ  ＲＮＣ１に送信せよという問い合わせである。セルＦＺ８およびＦＺ１０に対して仮定したのは、これらに対して伝送中断が設定されていないことである。しかしながらセルＦＺ９に対してはすでに伝送中断が設定されている。したがってＲＮＣ  ＲＮＣ２は、本発明により、応答ＲＲＲ２１をＲＮＣ  ＲＮＣ１に送信し、この応答にはセルＦＺ９に対する伝送中断の設定が含まれており、またこの応答により、ＲＮＣ  ＲＮＣ１にセルＦＺ８およびＦＺ１０に対して伝送中断が設定されていないことが通知される。ＲＮＣ  ＲＮＣ１はこれに基づいてセルＦＺ３に対して伝送中断を設定して、セルＦＺ３およびＦＺ９における伝送中断が決して同時に発生しないようにするのである。
【００２４】
この過程の流れは図３に示されている。ここで垂直線はネットワークユニットを示している。ネットワークユニットの種類は、これらの垂直線の上端にあるボックスに示されている。垂直線間の矢印は、ＲＮＣ  ＲＮＣ１とＲＮＣ  ＲＮＣ２との間で交換されるメッセージを表す。
【００２５】
ｂ）  ＲＮＣ  ＲＮＣ１とＲＮＣ  ＲＮＣ２との間にＩｕｒコネクションが存在しない（図１および４を参照されたい）：
ＲＮＣ  ＲＮＣ１とＲＮＣ  ＲＮＣ２との間にＩｕｒコネクションが存在しない場合、ＲＮＣ  ＲＮＣ１は、Ｉｕコネクションを介して上位の対応するネットワークユニット、すなわちＭＳＣまたはＳＧＳＮのいずれかにメッセージＡＲＲ１２を送信する。このメッセージＡＲＲ１２によって、ＲＮＣ  ＲＮＣ１は上位のネットワークユニットにセルＦＺ８〜ＦＺ１０の伝送中断設定について問い合わせる。これに基づいてこの上位のネットワークユニットは、この問い合わせを別のＩｕコネクションを介してＲＮＣ  ＲＮＣ２に転送する。これは応答ＡＲＲ２１を上位のネットワークユニットに返送し、ここでこの応答は、セルＦＺ９の設定と、セルＦＺ８およびＦＺ１０に対して伝送中断が設定されていないという情報とを有する。この上位のネットワークユニットはこれらをＲＮＣ  ＲＮＣ１に転送する。これによってＲＮＣ  ＲＮＣ１にはセルＦＺ８〜ＦＺ９の伝送中断の構成が分かり、セルＦＺ３の伝送中断を設定して、セルＦＺ３およびＦＺ９の伝送中断が決して同時に発生しないようにする。
【００２６】
この過程の流れは図４に示されている。
【００２７】
さらに、ＲＮＣ  ＲＮＣ１およびＲＮＣ  ＲＮＣ２が２つのＭＳＣ／ＳＧＳＮに別個に接続されていることも考えられ得る。図５にはこのようなアーキテクチャが示されている。ここでＲＮＣ  ＲＮＣ１はＭＳＣ／ＳＧＳＮ  ＭＳＣ１／ＳＧＳＮ１に、またＲＮＣ  ＲＮＣ２はＭＳＣ／ＳＧＳＮ  ＭＳＣ２／ＳＧＳＮ２に接続されている。つぎにセルＦＺ８〜ＦＺ１０の構成についてのＲＮＣ  ＲＮＣ１の問い合わせがＭＳＣ／ＳＧＳＮ  ＭＳＣ１／ＳＧＳＮ１からＭＳＣ／ＳＧＳＮ  ＭＳＣ２／ＳＧＳＮ２に転送され、これは引き続きこの問い合わせをＲＮＣ２に転送する。ＲＮＣ  ＲＮＣ２は、コネクション「Ｅ  コネクション」を介してセルＦＺ８〜ＦＺ１０のセルの設定−セッティングを含む応答をＭＳＣ／ＳＧＳＮ  ＭＳＣ２／ＳＧＳＮ２に返送し、これはこの応答をＭＳＣ／ＳＧＳＮ  ＭＳＣ１／ＳＧＳＮ１に転送し、引き続きこの応答がＲＮＣ  ＲＮＣ１に導かれる。図６にはこの過程の流れが示されている。
【００２８】
第２実施例
第２実施例ではつぎのことを前提とする。すなわち、基地局ＢＳ１〜ＢＳ１０をセル１〜１０を構成し、基地局ＢＳ１〜ＢＳ７が無線ネットワークコントロールユニット（＝ＲＮＣ）ＲＮＣ１に、また基地局ＢＳ８，ＢＳ９およびＢＳ１０が無線ネットワークコントロールユニット（＝ＲＮＣ）ＲＮＣ２に接続されているとする（図２を参照されたい）。さらにＲＮＣ  ＲＮＣ１は上位のネットワークユニットＭＳＣ／ＳＧＳＮ  ＭＳＣ１／ＳＧＳＮ１に接続されており、ＲＮＣ  ＲＮＣ２は上位のネットワークユニットＭＳＣ／ＳＧＳＮ  ＭＳＣ２／ＳＧＳＮ２に接続されているとする。構造は図５に示されている。ここでネゴシエーションは、上位のネットワークユニットＭＳＣ／ＳＧＳＮ間で行われる。ここでも仮定されるのは、移動無線局ＭＰ１がセルＦＺ３にあり、その位置をＯＴＤＯＡ方式で決定することである。さらに基地局ＢＳ３の伝送中断によって移動無線局が、隣接するセルを受信するチャンスを増やしたい。さらにセルＦＺ９に対してすでに伝送中断が設定されているとする。さらにＭＳＣ／ＳＧＳＮには、各ＭＳＣ／ＳＧＳＮに対応付けられているどのセルと、別のＭＳＣ／ＳＧＳＮに対応付けられているどのセルとが隣接しているかが分かっているとする。
【００２９】
ＲＮＣ１は、セルＦＺ３において伝送中断を挿入したいことをＩｕコネクションを介してＭＳＣ／ＳＧＳＮ  ＭＳＣ１／ＳＧＳＮ１に通知する。ＭＳＣ／ＳＧＳＮ  ＭＳＣ１／ＳＧＳＮ１には、セルＦＺ３と、ＭＳＣ／ＳＧＳＮ  ＭＳＣ２／ＳＧＳＮ２に対応付けられているセルとが隣接していることが分かっている。これに基づいてＭＳＣ／ＳＧＳＮ  ＭＳＣ１／ＳＧＳＮ１はメッセージをＭＳＣ／ＳＧＳＮ  ＭＳＣ２／ＳＧＳＮ２に送信し、ここでこのメッセージでは、セルＦＺ８〜ＦＺ１０の伝送中断の構成について問い合わせが行われる。
【００３０】
ＭＳＣ／ＳＧＳＮ  ＭＳＣ２／ＳＧＳＮ２にセルＦＺ８〜ＦＺ１０の構成が既知である場合、ＭＳＣ／ＳＧＳＮ  ＭＳＣ２／ＳＧＳＮ２はＭＳＣ／ＳＧＳＮ  ＭＳＣ１／ＳＧＳＮ１に応答を返送し、ここでこの応答には、セルＦＺ９の伝送中断の構成が含まれており、ここから、セルＦＺ８およびＦＺ１０には伝送中断が設定されていないことが識別される。ＭＳＣ／ＳＧＳＮ  ＭＳＣ２／ＳＧＳＮ２にセルＦＺ８〜ＦＺ１０の設定が既知であるこの方法の流れは図７に示されている。
【００３１】
ＭＳＣ／ＳＧＳＮ  ＭＳＣ２／ＳＧＳＮ２にセルＦＺ８〜ＦＺ１０の設定が未知の場合、ＭＳＣ／ＳＧＳＮ  ＭＳＣ２／ＳＧＳＮ２はＲＮＣ  ＲＮＣ２に、セルＦＺ８〜ＦＺ１０のセルの伝送中断の設定を返送せよとの問い合わせを送信する。これに基づいてＲＮＣ  ＲＮＣ２はこの設定をＭＳＣ／ＳＧＳＮ  ＭＳＣ２／ＳＧＳＮ２に返送する。ＭＳＣ／ＳＧＳＮ  ＭＳＣ２／ＳＧＳＮ２側はメッセージをＭＳＣ／ＳＧＳＮ  ＭＳＣ１／ＳＧＳＮ１に送信し、このメッセージから、これらのセルに対して伝送中断が設定されておらず、またこのメッセージにセルＦＺ９の設定が含まれていることが明らかになる。この方法の流れは図８に示されている。
【００３２】
ＭＳＣ／ＳＧＳＮ  ＭＳＣ１／ＳＧＳＮ１は引き続きＲＮＣ  ＲＮＣ１に、伝送中断の設定がセルＦＺ９に対してどのようになっているかを通知し、このＲＮＣ  ＲＮＣ１がセルＦＺ３に対して伝送中断を選択することができ、伝送中断が決して同時に行われないようにするのである。
【図面の簡単な説明】
【図１】
移動無線システムの無線セルにおける基地局と、この基地局をコントロールするコントロールユニットと、本発明の方法を実施する上位のネットワークユニットとを有するアーキテクチャを示す図である。
【図２】
移動無線システムの無線セルにおける基地局と、この基地局をコントロールするコントロールユニットと、本発明の方法を実施する上位のネットワークユニットとを有する別のアーキテクチャを示す図である。
【図３】
本発明の方法にしたがって伝送中断を設定する例を示す図である。
【図４】
本発明の方法にしたがって伝送中断を設定する別の例を示す図である。
【図５】
移動無線システムの無線セルにおける基地局と、この基地局をコントロールするコントロールユニットと、本発明の方法を実施する上位のネットワークユニットとを有するさらに別のアーキテクチャを示す図である。
【図６】
本発明の方法にしたがって伝送中断を設定するさらに別の例を示す図である。
【図７】
本発明の方法にしたがって伝送中断を設定するさらに別の例を示す図である。
【図８】
本発明の方法にしたがって伝送中断を設定するさらに別の例を示す図である。




【国際調査報告】
2004517581.tif 000058
2004517581.tif 000059
2004517581.tif 000060
2004517581.tif 000061
2004517581.tif 000062
2004517581.tif 000063